(57)【特許請求の範囲】
【請求項１】
人体支持装置であって、
フレームと、
少なくともマットレスの一部を支持するように構成され、前記フレームに接続しかつ第１及び第２の角度位置間で前記フレームに対して移動可能な台部分と、
前記台部分に接続し、前記台部分の角度位置を示すセンサー信号を送るように動作可能なセンサーと、
アラームと、
前記センサーと前記アラームに接続する制御装置と、
を備え、
前記制御装置は、少なくとも一つのユーザ入力からの入力信号に応じて前記アラームを作動状態及び作動解除状態にするように設定され、
前記制御装置は、前記台部分の前記角度位置が閾値角度より上のときにのみ前記アラームを作動状態にさせ、前記アラームが作動状態にありかつ前記台部分の前記角度位置が前記閾値角度より下であるときに前記アラームを作動させるように、設定され、
前記制御装置は、前記台部分が前記閾値角度より下になることによる前記アラームの作動が、前記アラームが作動状態にある場合には前記台部分の上にマットレスが存在するか否かにかかわらず、前記台部分上にマットレスが存在する場合には存在するマットレスの種類にかかわらずになされるように設定されている
人体支持装置。
【請求項２】
前記センサーが、共に回転するために前記台部分に接続している回転部材を有する回転式ポテンショメーターを備える請求項１に記載の装置。
【請求項３】
前記センサーが、共に動くよう前記台部分に接続している傾斜計を備える請求項１に記載の装置。
【請求項４】
前記傾斜計が前記台部分の裏面に固定されている請求項３に記載の装置。
【請求項５】
前記センサーが、前記制御装置に接続しているリミットスイッチを備え、かつ前記台部分が前記閾値角度より下にあるときに前記アラームを作動させるべく、前記リミットスイッチが前記制御装置に信号を送る請求項１に記載の装置。
【請求項６】
前記台部分に接続し、前記第１及び第２の角度位置間で前記フレームに対して前記台部分を動かすよう機能するアクチュエータをさらに備える請求項１に記載の装置。
【請求項７】
前記アクチュエータが液圧アクチュエータを備える請求項６に記載の装置。
【請求項８】
前記アクチュエータが駆動軸を有するモーターを備え、かつ前記センサーが、前記台部分が前記第１及び第２の角度位置間を移動するときに前記駆動軸の回転量を決定するシャフトエンコーダを備える請求項６に記載の装置。
【請求項９】
前記アラームが通常解除されており、前記少なくとも一つのユーザ入力が前記アラームを動作状態と動作解除状態にするための前記制御装置に接続している電源ボタンをさらに備える請求項１に記載の装置。
【請求項１０】
前記アラーム電源ボタンが前記患者支持装置のグラフィカル介護人インターフェイス上に位置する請求項９に記載の装置。
【請求項１１】
前記グラフィカル介護人インターフェイスが前記患者支持装置のサイドレールの外側に配置されている請求項１０に記載の装置。
【請求項１２】
前記アラーム電源ボタンが、患者支持装置のフレーム部材に配置されている請求項９に記載の装置。
【請求項１３】
前記アラーム電源ボタンが、遠隔のナースコントロールステーションから操作可能である請求項９に記載の装置。
【請求項１４】
前記閾値角度が固定されかつ前記制御装置に関連したメモリ内に保存される請求項１に記載の装置。
【請求項１５】
前記閾値角度が第１及び第２の閾値角度間で選択可能である請求項１に記載の装置。
【請求項１６】
前記閾値角度が前記患者支持装置のグラフィカル介護人インターフェイスを用いて選択可能である請求項１５に記載の装置。
【請求項１７】
前記グラフィカル介護人インターフェイスが前記患者支持装置のサイドレールの外側に配置されている請求項１６に記載の装置。
【請求項１８】
前記閾値角度が前記患者支持装置のフレーム部材に位置する閾値角度切替装置を用いて選択可能である請求項１５に記載の装置。
【請求項１９】
前記アラームが音声であり、前記患者支持装置に設置されている請求項１に記載の装置。
【請求項２０】
前記アラームが視覚性のものである請求項１に記載の装置。
【請求項２１】
前記視覚性アラームが前記患者支持装置のグラフィカル介護人インターフェイス上にある点滅アイコンの形式である請求項２０に記載の装置。
【請求項２２】
前記視覚性アラームが、前記患者支持装置がある病室の戸口付近に位置する閃光灯の形式である請求項２０に記載の装置。
【請求項２３】
前記制御装置が前記センサーによって探知された前記台部分の角度位置に対応するデータと前記閾値角度に対応するデータを比較し、かつ前記台部分の角度位置に対応する前記データが前記閾値角度に対応する前記データより小さいときに、前記アラームを作動させる請求項１に記載の装置。
【請求項２４】
前記台部分が患者支持台の頭部を備える請求項１に記載の装置。
【請求項２５】
人体支持装置のフレームに接続している、少なくともマットレスの一部を支持するように構成された台部分が前記フレームに対して第１及び第２の角度位置間で動く際に前記台部分の角度位置が閾値角度より下にあるときにアラームを作動させる方法であって、
前記台部分に接続しかつ前記装置の制御装置に接続しているセンサーで前記台部分の前記角度位置を感知することと、
前記制御装置を用いて前記台部分の角度位置と前記閾値角度を比較することと、
前記台部分の前記角度位置が前記閾値角度より上にあるときのみに、少なくとも一つのユーザ入力に応じて前記制御装置に前記アラームを作動状態にさせることと、
前記アラームが作動状態にありかつ前記台部分角度位置が前記閾値角度より下にあるときにはアラームを作動させることであって、前記制御装置は、前記アラームが作動状態にある場合には前記台部分の上にマットレスが存在するか否かにかかわらず、また前記台部分の上にマットレスが存在する場合には存在する前記マットレスに含まれる機能にかかわらず、前記台部分が前記閾値角度より下にあることによる前記アラームの前記作動を示す信号を送ることと、
を備える方法。
【請求項２６】
前記患者支持装置のグラフィカル介護人インターフェイスを用いて閾値角度を選択することをさらに備える請求項２５に記載の方法。
【請求項２７】
前記の比較するステップが前記台部分の角度位置に対応するデータと前記閾値角度に対応するデータを比較することを備える請求項２５に記載の方法。
【請求項２８】
前記台部分の前記角度位置が前記閾値角度より下にある際に前記ユーザが前記アラームを作動状態にしようと試みたときに、前記ユーザに前記台部分を前記閾値角度より上に引き上げるように指示することをさらに備える請求項２５に記載の方法。
【請求項２９】
前記制御装置がホーム画面を有する表示を含む請求項１に記載の患者支持装置。
【請求項３０】
前記ホーム画面は、前記アラームが作動状態にあるか作動解除状態にあるかを示すラジオボタンを含んだメニューを有する請求項２９に記載の患者支持装置。
【請求項３１】
前記制御装置は、前記アラームを作動状態にさせる入力信号の受信に応じて前記アラームが作動状態なっていることを示す前記ホーム画面上のポップアップボックスを生成するように構成されている請求項２９に記載の患者支持装置。
【請求項３２】
前記制御装置は、前記台部分の前記角度位置が前記閾値角度より下にあるが前記アラームを作動状態にしようと試みたときに、前記ユーザに前記台部分を前記閾値角度より上に上げるように指示するポップアップボックスを前記ホーム画面上に生成するように構成されている請求項２９に記載の患者支持装置。
【請求項３３】
前記制御装置は、前記アラームが作動状態にありかつ前記台部分が前記閾値角度より下にあるときに、視覚性アラームとしての役割を果たすポップアップボックスを前記ホーム画面上に生成するように構成されている請求項２９に記載の患者支持装置。
【請求項３４】
前記制御装置は、前記ユーザが前記ホーム画面上でメインメニューボタンを選択したことに応じて、前記表示上に統計データボタンを有するメインメニュー画面を生成するように構成されている請求項２９に記載の患者支持装置。
【請求項３５】
前記制御装置は、前記ユーザが前記メインメニュー画面上で前記統計データボタンを選択したことに応じて、前記表示上に台部分角度サマリーボタンを有する肺統計データ画面を生成するように構成されている請求項３４に記載の患者支持装置。
【請求項３６】
前記制御装置は、前記ユーザが前記肺統計データ画面上で前記台部分角度サマリーボタンを選択する入力をしたことに応じて、少なくとも一日のサマリー統計を前記表示画面上に生成するように構成されている請求項３５に記載の患者支持装置。
【発明の詳細な説明】
【技術分野】
【０００１】
本開示は、様々な位置で患者を支えるための少なくとも１つの折り曲げ可能な台部分を有する患者支持装置に関する。更に具体的には、本開示は、アラームシステム付き病院用ベッドなどの患者支持装置に関する。
【背景技術】
【０００２】
医療施設認定合同委員会（ＪＣＡＨＯ）は、ある状況下では、患者は人工呼吸器関連肺炎（ＶＡＰ）発生の危険性を減らすために、病院用ベッド上で背臥位ではなく半横臥位で支えられることを推奨している。ＪＣＡＨＯは、肺炎を予防するために、人工呼吸器装着患者にはベッドの頭部角度（ＨＯＢＡ）として４５度を推奨している。皮膚損傷の危険性が高い患者に対しては、肺炎や床擦れの進行を防ぐためにベッドの頭部角度として３０度が推奨されている。
【発明の開示】
【課題を解決するための手段】
【０００３】
本発明は、請求項に記載された１つ以上の機能ないし１つ以上の下記の機能を有する装置及び／もしくは方法を備えており、それらの機能は、それ１つのみないし任意の組合せが特許性のある対象を含んでいる。
【０００４】
病院用ベッドなどの患者支持装置は、フレームと、フレームと接続しかつ第１及び第２の角度位置間でフレームに対して移動可能な台部分、及びベッドの頭部角度アラームシステムを含んでもよい。ベッドの頭部角度アラームシステムは、台部分の角度位置を決定するよう機能するセンサー、アラーム、および該センサーや該アラームに接続した制御装置を含んでもよい。該制御装置は、アラームが作動状態にされかつ台部分の角度位置が閾値角度について、これより大きいか、これより大きいないし同等、これより小さい、これより小さいないし同等になる場合に、アラームを作動させるように構成されてもよい。該制御装置は、アラームが作動状態にされかつ台部分の角度位置が第１及び第２の閾値角度外になる場合に、アラームを作動させるよう構成されてもよい。
【０００５】
該台部分は、病院用ベッドの患者支持台の頭部を含んでいてもよい。該アラームシステムは、選択的にアラームを可能にする電源ボタンを有していてもよい。いくつかの実施形態では、アラーム電源ボタンは、ベッドのグラフィカル介護人インターフェイス（ＧＣＩ）の表示画面のような電光表示画面で表示されてもよい。ＧＣＩを有するそのようなベッドの一例として、インディアナ州ベイツビルにあるヒル−ロム社（Hill-Rom Company, Inc., of Batesville, Indiana）によって売り出されたTotalCare（登録商標）ベッドが挙げられる。TotalCare（登録商標）ベッドにおいて、ＧＣＩは、介護人向けにベッドの中間サイドレールの外側に設置されている。他のいくつかの実施形態では、該アラーム電源ボタンは、ベッドのフレーム部材ないしサイドレール上に設置されてもよい。いくつかの実施形態においては、該アラームシステムは、ベッドから遠く離れたナースコントロールステーションから作動状態にさせても解除させてもよい。ここで使用されるように、「作動状態にある」や「使用可能な」という用語（やその変化形）は、同意語となることを目的としており、それぞれの用語は、両方の広い意味を持つことを目的としている。同様に、ここで使用されている「解除される」や「使用不可能な」という用語（やその変化形）は、同意語となることを目的としており、それぞれの用語は、両方の広い意味を持つことを目的としている。
【０００６】
閾値角度は少なくとも１つの固定値（例えば３０度）を含んでもよい。該固定閾値角度は、制御装置に関連したメモリに記録されてもよい。いくつかの実施形態では、該閾値角度は固定されなくてもよく、むしろ、いかなる適正角度が選択可能でもよい。いくつかの実施形態では、該閾値角度は、ベッドのＧＣＩを利用している介護人によって選択可能でもよい。代わりにないしこれに加えて、介護人はベッドのフレーム部材ないしサイドレール上にある閾値角度切替装置によって閾値角度を選択してもよい。代わりにないしこれに加えて、該閾値角度切替装置は、無線ハンドユニットに設置されても、ケーブルによって制御装置と接続しているハンドユニットに設置されても、もしくは該装置がある病室の壁に設置されてもよい。代わりにないしこれに加えて、該閾値角度は離れたナースコントロールステーションで選択可能であってもよい。
【０００７】
アラームは、通常の場合使用不可能ないし解除されていてもよい。該アラームを設定するために、介護人は頭部を閾値角度より上の位置に引き上げてもよく、さらに頭部が閾値角度より下に降りたときにアラームが作動するようアラームを使用可能にするのもよい。該アラームは、音声的なもの（例えば可聴音）ないし視覚性なもの（例えば閃光灯）ないし音声と視覚性の両方でもよい。例えば、いくつかの実施形態では、音声アラームは、ベッドのフレーム部材に配置されてもよく、視覚性アラームは、ベッドのＧＣＩ上に表示される形式でもよい。代わりにないしこれに加えて、視覚性アラームは、ベッドがある病室の戸口付近に設置された閃光灯の形式でもよい。該閃光灯は、ナースコールシステムのいわゆるドームライトの一部であってもよく、該ドームライトは、時には病院の１つ以上の病室の外に設置されていることがある。
【０００８】
いくつかの実施形態では、センサーは、台部分とベッドのフレームなどの他の構造との間における相対的な回転を感知する回転式ポテンショメーターを備えてもよい。代わりにないしこれに加えて、該センサーは共に動く台部分と接続した傾斜計ないし加速度計を備えてもよい。例えば、傾斜計は台部分の裏側にしっかりと固定してもよい。代わりにないしこれに加えて、該センサーは、該制御装置と接続したリミットスイッチを備えてもよく、該リミットスイッチは、台部分が閾値角度についてこれより上、これより上ないし同じ、これより下、これより下ないし同じになる時にアラームを作動させてもよい。そのようなリミットスイッチは、ボールスイッチを備えてもよい。該角度センサーが、台部分と一緒に動くマットレスないしサイドレールといった他の構造物に接続されてもよい。
【０００９】
患者支持装置は、台部分に接続されかつ第１及び第２の角度位置間で台部分をフレームに対して動かすように機能するアクチュエータを備えてもよい。いくつかの実施形態においては、該アクチュエータは、ベッドの液圧動力装置に接続した液圧アクチュエータを備えてもよい。いくつかの実施形態では、該アクチュエータは、駆動軸を有するモーターを備えてもよく、また該センサーは、台部分が第１及び第２の角度位置間で動くように、駆動軸の回転量を決定するために駆動軸と結合されたシャフトエンコードを備えてもよい。該アクチュエータは、モーター付きのリニアアクチュエータとギヤ減速機、そしてリニアアクチュエータの出力軸を伸ばしかつ格納するために回転するねじ式シャフトを備えてもよい。該角度センサーは、リニアアクチュエータの回転可能な部品（例えば、モーターシャフト、ギヤ減速機のシャフト、ねじ式シャフト等）で回転するためにリニアアクチュエータに結合しているポテンショメーターを備えてもよい。
【００１０】
制御装置は、角度センサーから受信したデータを、アナログ−デジタル変換の前ないし後に、水平に対してかつ／ないしベッドのフレームのような他の構造物に対しての台部分の角度とを関連付けるよう構成されてもよい。該制御装置は、該センサーが探知した台部分の角度位置に対応するデータと、ユーザーが選択した閾値角度に対応するデータを比較するよう構成されてもよく、また、台部分の角度位置に対応する該データが、該閾値角度より大きい（ここでは「上」ということがある）か、より大きいか同等である（ここでは「上ないし同じ」ということがある）か、より小さい（ここでは「下」ということがある）か、より小さいか同等である（ここでは「下ないし同じ」ということがある）場合に、アラームを作動させるよう構成されてもよい。該台部分角度位置に対応する該データや該閾値角度に対応する該データは、場合によってはデジタルデータに変換される個別の電圧であってもよい。
【００１１】
患者支持装置のフレームに接続されている台部分の角度位置が、該台部分がフレームに対してかつ／ないし水平に対して第１及び第２の角度位置間を動くときに、閾値角度より大きい、より大きいないし同等、より小さい、より小さいないし同等になるとアラームを作動させる方法が開示されている。該方法は、該台部分の角度位置を感知するステップと、該台部分の角度位置と該閾値角度を比較するステップと、該台部分の角度位置が該閾値角度について、これより大きいか、これより大きいないし同等、これより小さい、これより小さいないし同等である場合に、該アラームを作動させるステップを備えている。該方法は、該閾値角度より上に該台部分を引き上げることと、該台部分が該閾値角度より下に降りた場合にアラームが作動するように該アラームを使用可能にすることをさらに備えていてもよい。
【００１２】
上記の機能や請求項に列挙した機能を含む、それのみないし他の機能との組合せによる追加的機能は、特許性のある対象を備えていてもよく、さらに、現在理解されているように発明を実施するための最良の形態を実証している具体的実施形態の下記の詳細な説明を考慮することによって、その追加的機能は当業者に対して明らかになるであろう。
【発明を実施するための最良の形態】
【００１３】
図１及び図２は、病院用ベッド２０のような、病室の床２２上に支持される患者支持装置を示している。ベッド２０は、図５に図式で示されるように、ベッドの頭部角度アラームシステム１５０を含む。例示として、ベッド２０は、キャスタ２６に支持されたベースフレーム２４と、ベースフレーム２４上に支持された中間フレーム２８と、中間フレーム２８上に支持された折り曲げ可能台３０を含んでいる。いくつかの実施形態では、中間フレーム２８は、上部フレームや計量フレームなどの複数のフレームを含んでいる。マットレス３２は、台３０上に支持されている。台３０は、長手方向に空間のある頭部４０、座部４２、大腿部４４及び脚部４６をそれぞれ含んでいる。
【００１４】
座部４２は中間フレーム２８に固定されているが、これは場合によって必要ではない。頭部４０は、頭部４０が通常座部４２と同一平面上にある図１の第１の位置と、頭部４０が座部４２に対して引き上げられている図２の第２の位置との間で軸回転するために、座部４２のヘッド端５０付近の中間フレーム２８と接続している。大腿部４４は、大腿部４４が通常座部４２と同一平面上にある図１の第１の位置と、大腿部４４が座部４２に対して引き上げられている図２の第２の位置との間を移動するよう座部４２のフット端５２に接続している。脚部４６は、脚部４６が通常大腿部４４の同一平面上にある図１の第１の位置と、脚部４６が大腿部４４に対して下げられている図２の第２の位置との間を移動するよう、大腿部４４のフット端５２に接続している。
【００１５】
図１及び図２の実例となる実施形態においては、頭部４０は、マットレス３２の寝台面上に横たわるよう位置づけられた効果的な回転軸の周りを中間フレーム２８に対して軸回転するように構成されている。好ましくは、頭部４０の効果的な回転軸は、頭部４０が下降かつ上昇した位置間を移動するときに、マットレスの寝台面とベッド２０に横たわる人の背中との間のずれを最小限にするために、マットレスの寝台面に横たわる人の腰で定義される回転軸に隣接して通常設置された方がよい。このずれの少ない回転を実現するために、頭部４０は、中間フレーム２８に対して平行移動及び回転移動のいずれも可能であるよう中間フレーム２８に装着される。回転移動や平行移動は、効果的な回転軸の周囲を中間フレーム２８に対して回転する頭部４０に動きを生み出すために組み合わされる。米国特許第５，６８２，６３１号は、ずれの少ない軸の周囲を回転するためにベッドフレームに装着された頭部を有する病院用ベッドを説明している。
【００１６】
ベッド２０は、図５に図示されているように、頭部アクチュエータ１３０を含むいくつかの液圧アクチュエータを含んでいる。頭部アクチュエータ１３０は、図１と図２にそれぞれある第１及び第２の角度位置間で頭部４０を動かせるようになっている。頭部アクチュエータ１３０は、頭部４０に接続したピストンロッド（図示せず）と中間フレーム２８に接続した液圧シリンダー（図示せず）を含んでいる。該液圧シリンダーは、ベースフレーム２４に装着された液圧動力装置（図示せず）に接続している。いくつかの実施形態では、頭部アクチュエータは、駆動軸を有するリニアモーター（図示せず）である。ベッドの頭部を動かすための液圧アクチュエータを有する実例となる病院用ベッドは、米国特許第５，７１５，５４８号に開示されており、ここに参照することにより本出願に援用される。
【００１７】
ヘッドボード６０は、ヘッド端５０付近の中間フレーム２８に取り外し可能な状態で接続している。フットボード６２は、フット端５２付近の脚部４６に取り外し可能な状態で接続している。一対の押しハンドル６４は、ヘッド端５０付近の中間フレーム２８に取り外し可能な状態で接続している。一対のサイドレール７０は、共に動くよう台３０の頭部４０の左側５４及び右側５６にそれぞれ接続している。一対の中間サイドレール７２は、共に動くよう中間フレーム２８の左側５４及び右側５６にそれぞれ接続している。
【００１８】
仰角調整機構８０は、中間フレーム２８をベースフレーム２４につないでいる。仰角調整機構８０は、ベースフレーム２４に対して、中間フレーム２８を引き上げ、降ろし、かつ傾けることができる。例えば、仰角調整機構８０は、中間フレーム２８のヘッド端５０が中間フレーム２８のフット端５２より下にくるトレンデレンブルグ体位と中間フレーム２８のヘッド端５０が中間フレーム２８のフット端５２より上にくる反トレンデレンブルグ体位との間で中間フレーム２８を傾けることができる。ベースフレーム２４は、様々な液圧アクチュエータに接続した液圧動力装置のようなそこに装着されている様々なメカニズムが見えないように、また、異物が気づかずにそこに混入するのを防ぐために、保護側板８２によって保護されている。中間フレームを引き上げ、降ろし、傾けるための実例となる仰角調整機構は、上記記載の米国特許第５，７１５，５４８号に開示されており、ここに参照することにより本出願に援用される。
【００１９】
図３に示されているように、右側中間サイドレール７２は、その外側面に介護人制御パネル９０を有する。介護人制御パネル９０は、例えば、グラフィカル介護人インターフェイス（「ＧＣＩ」）９４、頭部上／下制御ボタン９６、膝上／下制御ボタン９８、椅子位置調整ボタン１００、トレンデレンブルグ及び反トレンデレンブルグ制御ボタン１０２、ベッド上／下制御ボタン１０４、トレンデレンブルグ角度表示器１０６、及びナースコール制御ボタン１０８を含む複数の介護人制御装置９２を有している。同様に、実例となる実施形態において、右側のヘッド端サイドレール７０は、その外側面に、ベッドの頭部角度表示器１１３を含む複数の介護人制御装置１１２を備えた介護人制御パネル１１０を有する。ベッドの頭部角度表示器１１３は、床２２に対する頭部角度をマイナス１５度からプラス８０度まで表示する。指示ボールが静止していることが適正角度を示す。左側の中間サイドレール７２は、その内側面に複数の患者制御装置１１６を備える患者制御パネル１１４を有する。「介護人」や「ユーザー」といった用語は、ほとんど同じ意味で使用されており、それぞれの用語は、広範に両方の意味を含む。
【００２０】
図４に示されるように、ＧＣＩ９４は、図３の収納位置と図４の使用位置（ＧＣＩ９４は、必要に応じて収納位置にあるときに使用されてもよいことに注意しなければならないが、）との間を移動可能なスイングアウト表示画面１１８を有する。介護人は、表示画面１１８の下に位置する３つの制御ボタン１２０、すなわちスクロールアップ矢印、スクロールダウン矢印及び入力ボタンを利用してＧＣＩ９４と情報のやりとりをする。介護人制御パネル９０に位置する制御装置９２は、例えば台３０を引き上げるないし下げるために、中間フレーム２８を傾けるために、かつ台３０を椅子形状に動かすためにといったベッド２０の操作を介護人が制御することを可能にする。制御装置９２は、図５の図表で示されるように、ベッド２０の制御装置１３２と接続している。
【００２１】
例示の実施形態において、制御装置１３２は、ベッド２０のいろいろな部分に位置するいくつかのマイクロプロセッサ（図示せず）を含む。例えば、マイクロプロセッサは、その外側面に介護人制御パネル９０を有する中間サイドレール７２に位置する。さらに、いくつかのマイクロプロセッサを有する主回路基板（図示せず）は、ベッド２０のベースフレーム２４上に配置されている。該マイクロプロセッサは、関連したメモリに保存されたソフトウェアを実行するよう構成され、該ソフトウェアに含まれるステップを処理する。制御装置１３２は、病院のコンピュータ・ネットワークと接続してもよい。実例となるコンピュータ・ネットワークは、米国公開特許公報第２００６／００４９９３６号（Ａ１）に開示されており、ここに参照することにより本出願に援用される。このタイプの実例となるベッドは、インディアナ州ベイツビルにあるヒル−ロム社（Hill-Rom Company, Inc., Batesville, Indiana 47006）によって販売されているTotalCare（登録商標）ベッドである。当然ながら、制御装置１３２は、単一のマイクロプロセッサのみでも、マイクロコントローラないし他の集積論理回路部品を含んでもよく、もしくは、制御装置１３２は、複数のマイクロプロセッサを持つ代わりに複数のディスクリートな論理回路素子を含んでもよい。
【００２２】
図５の図表で示されるように、ベッド頭部角度アラームシステム１５０は、頭部４０の角度位置を決定するよう機能するベッドの頭部角度センサー１５２や、ベッドの頭部角度アラーム１５４、閾値角度センサー１５６及びベッドの頭部角度アラーム電源ボタン１５８を含んでいる。ベッドの頭部角度が（例えば、３０度などに）固定される場合の実施形態では、閾値角度切替装置１５６は除外されてもよい。制御装置１３２は、角度センサー１５２、アラーム１５４、閾値角度切替装置１５６及びアラーム電源ボタン１５８と接続している。制御装置１３２は、頭部４０の角度位置ないしベッドの頭部角度が閾値角度について、これより大きい、これより大きいか等しい、これより小さい、これより小さいか等しいときに、また場合によっては、特定の実施形態でソフトウェアプログラミングに応じて、アラーム１５４を作動させる。上記の通り、医療施設認定合同委員会（ＪＣＡＨＯ）は、肺炎を防ぐために、人工呼吸器装着患者のベッドの頭部角度（ＨＯＢＡ）は４５度を推奨している。皮膚損傷の危険性が高い患者に対しては、肺炎や床擦れの進行を防ぐために、ベッドの頭部角度が３０度になることを推奨している。
【００２３】
頭部４０は、図５の図表のように、１つの回転軸の周りを中間フレーム２８に対して回転する。しかしながら、実例となる実施形態において、頭部４０は、上記のようにずれの少ない軸の周りで回転するために中間フレーム２８に装着されている。米国特許第５，６８２，６３１号は、ずれの少ない軸の周りで回るためにベッドフレームに装着されている頭部を有する病院用ベッドを説明している。従って、ベッドの１つの台部分と別の台部分を接続するための接続の全ての種類は、２、３例を挙げると、単一の軸、複数の部分からなる軸、ずれの少ない軸及び弓形の軌道ないし溝を有する軸などを含むこの開示の範囲内にある。
【００２４】
頭部のベッド頭部角度は、例えば中間フレーム、計量フレーム、座部、ないしベースフレームといったベッドの他の部分に対して、もしくは水平ないし垂直に対して、計測ないし計算されてもよいということがこの開示において考えられる。それ故に、２、３例を挙げると、ポテンショメーターやリミットスイッチ、ボールスイッチ、加速度計、傾斜計、線形可変作動変圧器（ＬＶＤＴ）、ないしホール効果センサーなどの角度センサーの１つ以上の種類は、ベッドの頭部角度に達するためのベッド部品の角度の測定ないし計算用に使用される信号を与えるために、病院用ベッドに提供されてもよいということが考えられる。例示の実施形態では、ベッド頭部角度は、頭部４０が中間フレーム２８に対してではなく、ベースフレーム２４に対して引き上げられることを通じて得た角度である。それ故、例示の実施形態では、ベッド頭部角度が３０度の場合、頭部４０がベースフレーム２４に対して３０度の角度になるよう引き上げられる。他の実施形態では、中間フレーム２８に対する頭部４０の角度は、ベッド頭部角度と見なされる。他のいくつかの実施形態では、ベッド頭部角度は、ベッド２０が支えられている面の傾斜の説明となるよう、平行方向ないし垂直方向（例えば、重力方向）に対する頭部４０の角度でもよい。「ベッドの頭部角度」や「ベッドの頭部の仰角」といった用語は、本開示において区別なく使用されており、それぞれは、別の部分に対するベッドの頭部角度を広く表している。
【００２５】
図２のように、中間フレーム２８のヘッド端５０が中間フレーム２８のフット端５２より上になり、そして頭部４０が中間フレーム２８に対して３０度引き上げられるように（すなわち時計回りに回転できるように）もし中間フレーム２４が時計周りに１５度傾けられる場合、図示の実施形態においてベッドの頭部角度は、４５度と考えられる。一方、図２のように、中間フレーム２８のヘッド端５０が中間フレーム２８のフット端５２より下になり、そして頭部４０が中間フレーム２８に対して３０度引き上げられるように（すなわち時計回りに回転できるように）もし中間フレーム２４が反時計周りに１５度傾けられる場合、図解の実施形態においてベッドの頭部角度は、１５度と考えられる。
【００２６】
望ましいベッドの頭部角度は、時にはここで閾値角度として参照される。例示の実施形態では、閾値角度は固定されている（例えば、水平面から３０度）。固定閾値角度は、フラッシュメモリなどのメモリに制御装置１３２と関連して保存される。しかしながら、いくつかの実施形態においては、閾値角度は選択可能である。例えば、１つの可能な実施形態においては、閾値角度は、約３０度から約４５度に選択可能でもよい。そのような実施形態においては、介護人は、閾値角度を選択するために閾値角度切替装置１５６を利用する。いくつかの実施形態においては、閾値角度切替装置１５６は介護人制御パネル９０のＧＣＩ９４である。いくつかの実施形態においては、閾値角度切替装置１５６は、ベッド２０の中間フレーム２８などのフレーム部材上ないし中間サイドレール７２などのサイドレール上に位置するつまみ（図示せず）として、他のユーザーが入力するものである。さらに他の実施形態においては、閾値角度切替装置１５６は、有線ないし無線の携帯装置（この分野で「ペンダント」と呼ぶことがある）に設けてもよい。制御装置１３２は、アラーム１５４及び／ないしアラーム電源ボタン１５８は、必要に応じてそのような手持ちペンダントに設けてもよい。
【００２７】
例示の実施形態において、アラーム電源ボタン１５８は、ベッド２０の介護人制御パネル９０のＧＣＩ９４のホーム画面２００（図８）上に配置されている。ホーム画面２００上に位置するアラーム電源ボタン１５８は、システム１５０がオンしている（すなわち作動状態である）か、オフしている（すなわち作動状態にない）かを示す、いわゆるラジオボタンである。ＧＣＩ９４の制御ボタン１２０の上下スクロール矢印は、様々な文字選択を強調するないし選択するために利用され、制御ボタン１２０の入力ボタンは、強調された文字に関連するシステムの状態を変更するために押される。ボタン１５８付近の文字が強調されるときに入力ボタンをそれぞれ押すことは、「作動状態である」と「作動状態にない」の間でアラームシステム１５０の状態を変更ことである。実例となる実施形態では、アラームシステム１５０は、通常作動状態にないか、オフである。ホーム画面２００のアラーム電源ボタン１５８は、図８のようにアラームシステム１５０がオフであるときは空白である。アラームシステム１５０が作動状態ないしオンであるときに、ホーム画面２００のアラーム電源ボタン１５８は、塗りつぶされる。図８の画面において、「正常／標準」という文字に隣接したラジオボタンが塗りつぶされている。そのようにして、実施例としては、ボタン１５８はシステム１５０が作動状態あるかないかを示すための視覚的な表示器として役立つ。他の実施形態においては、アラーム電源ボタン１５８は、ベッド２０の中間フレーム２８などのフレーム部材上ないし中間サイドレール７２などのサイドレール上、もしくは上記記載の携帯装置上に配置されている。いくつかの実施形態では、アラーム電源ボタン１５８は、システム１５０を作動状態ないし解除状態にするために、（離れた制御ボタン１２０を介する代わりに）ユーザーが直接触れるタッチスクリーンの一部でもよい。代わりにあるいはこれに加えて、システム１５０は、ナースコントロールステーションから遠隔操作で作動及び解除されてもよく、かつボタン１５８は、システムが遠隔操作で作動ないし解除されたときに応じて変更される。
【００２８】
例示の実施形態において、角度センサー１５２は、増幅器やアナログ−デジタル（Ａ／Ｄ）変換器のような適切な信号処理回路により制御装置１３２に接続した回転式のポテンショメーター（図示せず）を備える。該ポテンショメーターは、共に回転するための図２の軸シャフト１７２に接続した回転式部材（図示せず）や、中間フレーム２８に固定された静止部材（図示せず）を有する。シャフト１７２は、頭部４０の回転動作の間、リンク１７０に沿って軸回転する。ポテンショメーター及び関連回路は、頭部４０が中間フレーム２８に対して傾くことにより制御装置１３２は角度Ａ度に対応するという出力信号を提供する。制御装置１３２も、中間フレーム２８がベースフレーム２４に対して回転されることによって、１つ以上の他の角度センサーから角度Ｂに関するデータを受信する。１つ以上の角度センサーは、いくつかの実施形態で中間フレーム２８に接続する加速度計と傾斜計を備えてもよく、また他の実施形態で仰角調整機構８０やベースフレーム２９のそれぞれの資材と接続しているポテンショメーターを備えてもよい。ここに開示されたいかなる種類の角度センサーも、ベースフレーム２４に対してもしくは平面ないし垂直に対して、中間フレーム２８の傾斜を測定するために使用されてもよい。制御装置１３２は、２つの角度Ａ度とＢ度を（中間フレーム２８のヘッド端５０が中間フレーム２８のフット端５２より上にあるときに）加えるか、それとも（中間フレーム２８のヘッド端５０が中間フレーム２８のフット端５２より下にあるときに）差し引くかによってベッド頭部角度を決定する。
【００２９】
いくつかの実施形態において、角度センサー１５２は、制御装置１３２に接続されかつ頭部４０の裏面に固定された傾斜計を備える。他の実施形態においては、角度センサー１５２は、制御装置１３２に結合されたリミットスイッチ（図示せず）を備える。該リミットスイッチは、アラームシステム１５０の設定方法により、頭部４０が閾値角度について、これより大きい、これより大きいか等しい、これより小さい、これより小さいか等しいときにアラーム１５４を作動させる。そのようなリミットスイッチは、例えばボールスイッチないし他の二位式スイッチなどでもよい。
【００３０】
例示の実施形態において、アクチュエータ１３０は、液圧アクチュエータである。いくつかの実施形態においては、第１及び第２の角度位置間で頭部４０を中間フレーム２８に対して移動するための頭部アクチュエータ１３０は、リニアアクチュエータないし駆動軸を有する他のモーター（図示せず）である。そのような実施形態においては、角度センサー１５２は、駆動軸に接続しかつ制御装置１３２に接続されたシャフトエンコーダ（図示せず）を備えてもよい。該シャフトエンコーダは、頭部４０が中間フレーム２８に対して上昇及び下降するときに、駆動軸の回転量を決定する。制御装置１３２は、駆動軸の回転に対応するデータを頭部４０が中間フレーム２８に対して引き上げられることによる角度に変換する。さらに他の実施形態において、リニアアクチュエータは、リニアアクチュエータのいかなる出力軸の拡張量や収縮量にも関連した、言い換えれば、頭部４０が傾斜する角度に関連した、アクチュエータの回転部品の回転量を測定するポテンショメーターを含んでもよい。
【００３１】
制御装置１３２は、角度センサー１５２や他の角度センサーからのデータにより決定されるように、頭部角度位置に対応するデータと閾値角度に対応するデータとを比較し、また頭部角度位置に対応するデータが閾値角度に対応するデータより小さいか等しいときに、アラーム１５４を作動させるよう構成されている。他の実施形態において、またシステム設計者やソフトウェアプログラマーの選択においては、アラームを作動させるのに満たすべき論理条件は、例示の実施形態の論理条件以下である代わりに、その条件より大、大か等しい、もしくはより少ない条件でもよい。いくつかの実施形態においては、頭部角度位置に対応するデータと閾値角度に対応するデータは、アラームの作動をもたらす閾値状況かどうかを決定する比較器に入力された個別のアナログ電圧でもよい。そのような実施形態においては、アラーム１５４が作動されているか否かを比較器の出力が制御するので、比較器は「制御装置」であると考えられる。
【００３２】
例示の実施形態においては、アラーム１５４は音声及び視覚性の両方である。音声アラームは、ベッド２０の中間フレーム２８に装着された主回路基板（図示せず）に位置する。音声アラームは、例えば、スピーカーや圧電ブザーなどでもよい。視覚性アラームは、ベッド２０の介護人制御パネル９０のＧＣＩ９４上に、メッセージボックス２３６の形状（図１１）である。制御装置１３２は、もっと介護人に目立つようにメッセージボックス２３６を点滅するよう設定されてもよい。代わりにないしこれに加えて、視覚性アラームは、ベッド２０が置かれている病室の戸口付近に位置するナースコールシステムのドームライトのように、閃光灯の形状である。代わりにないしこれに加えて、視覚性アラームは、メッセージないし遠隔のナースステーションでコンピュータ画面に現れるような他の目に見えるしるしでもよく、かつ／ないし、音声アラームはコンピュータのスピーカーなどの発音装置によって遠隔のナースステーションに知らされてもよい。他の実施形態では、アラームは視覚性アラームだけでも、音声アラームだけでもよい。
【００３３】
例示のアラームシステム１５０は、頭部４０がベッド２０のベースフレーム２８に対して引き上げられることによって角度が決まり、さらに決定されたベッドの頭部角度が閾値角度より小さいか等しいときにアラームを作動させるように設定されているが、むしろアラームシステム１５０は、大腿部４４のような他の台部分がベースフレーム２８に対してないしベッド２０のほかの部分に対して引き上げられることによる角度を決め、その決められた角度が閾値角度について、これより大きい、これより大きいか等しい、これより小さい、これより小さいか等しいときにアラーム１５４を作動させるよう設定されてもよい。代わりにないしこれに加えて、システム１５０は、複数の台部分がベッドの他の部分に対して引き上げられることによる角度を決定してもよく、また決められた角度がプログラムされた論理条件に抵触する場合に、アラーム１５４を作動させてもよい。例えば、システム１５０は、頭部４０と大腿部４４が引き上げられた角度の合計が閾値角度より大きいかどうかを決定してもよく、それに応じてアラーム１５８を作動させてもよい。
【００３４】
図６及び７は、ベッド頭部角度が閾値角度より上にある場合にアラームシステム１５０を作動させたり、ベッド頭部角度を監視したり、ベッドの頭部角度が閾値角度より小さいか等しいときにアラーム１５４を作動させたりするための、制御装置１３２に関連した１つ以上のマイクロプロセッサによって実行されるアルゴリズムのフローチャートである。例示の実施形態においては、閾値角度は３０度に設定される。しかしながら、閾値角度は上記のように閾値角度センサー１５６を利用する介護人によって固定ないし選択されてもよい。例示の実施形態においては、アラーム１５４はベッドの頭部角度が閾値角度より小さいか等しい場合に作動される。しかしながら、制御装置１３２は、現在のベッド頭部角度が閾値角度より大きい時、閾値角度より大きいか等しい時、閾値角度や外側の第１及び第２の閾値角度ないし内側の第１及び第２の閾値角度より小さいもしくは小さいか等しい時に、アラーム１５４を作動するよう上手くプログラミングされてもよい。
【００３５】
図６及び図７の特定の実施形態では、アラームシステム１５０が作動されると、制御装置１３２は、ベッドの頭部角度が閾値角度より小さいか等しいときにアラーム１５４を作動させる。さらに、アラーム１５４の作動例は、場合によっては閃光灯を点灯し、音を発生し、ＧＣＩ９４の画面１１８にメッセージボックスを表示し、ナースコールシステムのドームライトを点灯するなどといったことを含む。
【００３６】
図６を参照すると、ステップ２１０において、制御装置１３２は、アラーム電源ボタン１５８が介護人によって選択されているかどうかを確かめる。介護人は、ＧＣＩ９４の制御ボタン１２０の適切な使用を経てアラームシステム１５０を作動させるために、図８のホーム画面２００上のアラーム電源ボタン１５８を選択してもよい。アラーム電源ボタン１５８を選択するために、介護人は、制御ボタン１２０の上下スクロール用矢印を利用してカーソル（ここでの「カーソル」は強調表示された表示画面の一部分をいう）をアラーム電源ボタン１５８に隣接した文字上に動かし、かつベッド２０のＧＣＩ９４上の制御ボタン１２０の入力ボタンを押す。カーソルがアラーム電源ボタン１５８上にあるとき、ベッド頭部角度が３０度以上の場合の統計データ２１２がホーム画面２００の左側２１４に表示される。図８の特定例では、ベッドの頭部角度はその日の午前１２時から合計１３時間２９分、３０度以上のままである。
【００３７】
もし介護人がアラーム電源ボタン１５８を選択しなかった場合、制御装置１３２は、ステップ２１０でアラーム電源ボタン１５８を監視し続ける。当業者は、制御装置１３２は他の仕事を実行してもよいと理解するであろう。それゆえ、ステップ２１０におけるシステム１５０の監視は継続しなくてもよく、むしろ適宜行ってもよい。当業者は、マイクロコントローラ１３２は、ユーザーがシステム１５０を作動させるために制御ボタン１２０を操作したことを示す１回以上の割込をＧＣＩ９４から受信してもよい。もし、アラーム電源ボタン１５８が介護人によって選択された場合は、アラームシステム１５０が作動していることを介護人に知らせるために、図９のメッセージボックス２１６がホーム画面２００に一時的に現れる。ステップ２２０では、制御装置１３２は角度センサー１５２やフレーム２４に対するフレーム２８の傾斜を測定する角度センサーからのデータを基に、現在のベッド頭部角度を決定する。ステップ２２２では、制御装置１３２は、現在のベッドの頭部角度と３０度の閾値角度を比較する。もし現在のベッドの頭部角度が３０度の閾値角度よりも大きい場合は、アラームシステム１５０がステップ２２４に表示されるように作動する。
【００３８】
もし現在のベッド頭部角度が３０度の閾値角度よりも大きくない場合、図１０のメッセージボックス２３０は、頭部４０をベッドの頭部角度が３０度以上になる勾配にまで引き上げるよう介護人へ指示するステップ２３２のように現れる。メッセージボックス２３０は、介護人がアラームシステム１５０を作動させないと決定したときには、ベッド２０のＧＣＩ９４上の入力ボタン１２０を押すよう介護人に伝える指示２３４を含んでいる。もし介護人がこの時点で入力ボタン１２０を選択した場合、ホーム画面２００のメッセージボックス２３０は消え、アラームシステム１５０は作動されない。
【００３９】
もし介護人が入力ボタン１２０を選択しない場合、制御装置１３２は介護人が頭部４０をベッド頭部角度が３０度以上になる傾斜に引き上げるまで、ホーム画面２００にメッセージボックス２３０を表示し続ける。介護人が、頭部４０をベッド頭部角度が３０度以上になる傾きにまで引き上げると、ホーム画面上のメッセージボックス２３０が消える。メッセージボックス２３０が消えたとき、介護人は制御ボタン１２０の適切な操作を経てアラームシステム１５０を作動させるために、アラーム電源ボタン１５８を選択することができる。
【００４０】
制御装置１３２は、ステップ２３６で介護人によってアラーム電源ボタン１５８が選択されたかどうかを確かめる。もし介護人がアラーム電源ボタン１５８を選択した場合、図１０のメッセージボックス２３０がホーム画面２００から消え、図９のメッセージボックス２１６が、アラームシステム１５０が作動していることを介護者に知らせるためにホーム画面２００に一時的に再び現れる。制御装置１３２は、アラームシステム１５０を作動させるステップ２２４に戻る。もし介護人がアラーム電源ボタン１５８を選択しない場合は、制御装置１３２はメッセージボックス２３０を表示し続ける。いくつかの実施形態では、３０度以上に頭部４０を引き上げるための頭部調整なしに事前にプログラムされた時間が経過するか、もしくは、ユーザーがボタン１５８を選択するため及び／ないし頭部４０が約３０度に引き上げられた後でシステム１５０を作動させるべきであることを表示するためにいかなる制御ボタン１２０も操作しない場合に、タイムアウトとなるようにしてもよい。もしタイムアウトが生じたら、アルゴリズムはステップ２１０へ戻る。
【００４１】
次に図７を参照すると、アラームシステム１５０が作動されると、ステップ２４０の制御装置１３２が現在のベッドの頭部角度を監視する。ステップ２４２では、制御装置１３２は、現在のベッド頭部角度が３０度の閾値角度より大きいかどうかを確認する。もし現在のベッド頭部角度が３０度の閾値角度より大きい場合、ステップ２４４の制御装置１３２はアラームシステム１５０が解除されているかどうかを確認する。もしアラームシステム１５０が解除されていれば、制御装置１３２は、介護人からのさらなる指示を待ち受けるために図６のステップ２１０へ戻る。反対に、もしアラームシステム１５０が解除されない場合、制御装置１３２はベッド頭部角度を監視し続けるためにステップ２４０へ戻る。
【００４２】
もし現在のベッド頭部角度が３０度の閾値角度より大きくない場合、アラーム１５４はステップ２４６で作動される。アラーム１５４が作動されると、ホーム画面２００上のメッセージボックス（図１１）を表示することに加えて、制御装置１３２は音声アラームを鳴らし、閃光灯を作動させ、もしくはナースコールシステムのドームライトを作動させるよう設定されてもよい。メッセージボックス２４８は、ベッド頭部角度が３０度の閾値角度より大きい傾きになるまで頭部４０を引き上げるよう介護者に指示する。制御装置１３２は、メッセージボックス２４８が介護人の注意をアラームの状況に引き付けるために点灯するようプログラムされてもよい。
【００４３】
ステップ２５０では、制御装置１３２は、現在のベッド頭部角度が３０度の閾値角度より大きいかどうかを確認する。もし介護人が、ベッド頭部角度が３０度の閾値角度より大きくなるように頭部４０を引き上げると、制御装置１３２はステップ２５２のアラーム１５４を解除し、かつ介護人に頭部４０を引き上げるよう指示するメッセージボックス２４８が消える。制御装置１３２は、ベッド頭部角度を監視し続けるステップ２４０へ戻る。アラームシステム１５０は作動状態のままになる。
【００４４】
ステップ２５４では、制御装置１３２はアラームシステム１５０が消音されているか確認する。介護人は、図１１のメッセージボックス２４８上の消音ボタン２５６を選択することによって、アラームシステム１５０を解除することなく、例えば３０分といった時間を設定してアラームシステム１５０を消音させてもよい。消音ボタン２５６を選択するために、介護人は上下スクロール矢印を使用してカーソルを消音ボタン２５６上に動かし、そしてＧＣＩ９４の入力ボタンを押す。制御装置１３２は、介護人が遅延時間を設定できるように構成されてもよい。もしアラームシステム１５０が消音状態になった場合、制御装置１３２はステップ２５８のアラーム１５４を解除する。アラーム１５４は、ステップ２６０で示されるように、３０分といった遅延時間内は解除状態である。その後、制御装置１３２は、ベッドの頭部角度を監視するためにステップ２４０へ戻る。
【００４５】
アラームシステム１５０がステップ２５４で消音状態にならない場合、アルゴリズムはステップ２６２に進む。ステップ２６２では、制御装置１３２はアラームシステム１５０が解除されているかどうか確認する。介護人は、図１１のメッセージボックス２４８上のベッドの頭部角度アラーム解除ボタン２６４を選択することによってアラームシステムを解除させてもよい。アラーム解除ボタン２６４を選択するために、介護人は、上下スクロール矢印を使用してカーソルをアラーム解除ボタン２６４上に動かし、そしてＧＣＩ９４の入力ボタンを押す。もしアラームシステム１５０が解除されると、制御装置１３２はステップ２６６でアラーム１５４を解除し、制御装置１３２は図６のステップ２１０に戻る。もしアラームシステム１５０が解除されない場合、制御装置１３２はベッド頭部角度を監視するためにステップ２４０へ戻る。
【００４６】
図８のある特定日のベッドの頭部角度統計データ２１２を表示することに加えて、アラームシステム１５０は、図１４及び１５に示される過去８日間のベッドの頭部角度統計データ２８０、２８２を表示するよう設定される。この目的のために、介護人はホーム画面２００のメインメニューボタン２９０を選択する。メインメニューボタン２９０を選択するために、介護人は、上下スクロール矢印を使用してカーソルをメインメニューボタン２９０上に動かし、そしてＧＣＩ９４の入力ボタンを押す。介護人がメインメニューボタン２９０を選択すると、メインメニュー画面２０２は図１２のベッド２０のＧＣＩ９４上に現れる。介護人は、それからメインメニュー画面２０２上の統計データボタン２９２を選択する。統計データボタン２９２を選択するために、介護人は、上下スクロール矢印を使用してカーソルを統計データボタン２９２上に動かし、そしてＧＣＩ９４の入力ボタンを押す。
【００４７】
介護人が統計データボタン２９２を選択すると、肺の統計データ画面２０４が図１３のＧＣＩ９４上に現れる。介護人はそれから統計データ画面２０４上の頭部角度サマリーボタン２９４を選択する。頭部角度サマリーボタン２９４を選択するために、介護人は、上下スクロール矢印を使用してカーソルを頭部角度サマリーボタン２９４上に動かし、そしてＧＣＩ９４上の入力ボタンを押す。介護人が頭部角度サマリーボタン２９４を選択すると、過去８日間のベッドの頭部角度統計データ２８０及び２８２が、図１４及び１５のようにＧＣＩ９４上に現れる。
【００４８】
過去８日間のベッドの頭部角度統計データ２６０及び２６２の方式は、特定日におけるベッドの頭部角度統計データ２１２の方式に類似する。それ故、図１４の特定例においては、１）１行目２９６が、前日である２００５年１月２８日のベッド頭部角度は合計１３時間１９分の間３０度以上であったことを示しており、２）２行目２９８は、２００５年１月２７日に合計１２時間４５分の間ベッドの頭部角度が３０度以上であったことを示しており、３）３行目３００は、２００５年１月２６日に合計２１時間３４分の間ベッドの頭部角度が３０度以上であったことを示しており、そして、４）４行目３０２は、２００５年１月２５日に合計４時間５６分の間ベッドの頭部角度が３０度以上であったことを示している。一方、図１５においては、１）１行目３０４は、２００５年１月２４日にベッドの頭部角度が合計９時間４７分の間３０度以上であったことを示しており、２）２行目３０６は、２００５年１月２３日にベッドの頭部角度が合計２２時間２１分の間３０度以上であったことを示しており、３）３行目３０８は、２００５年１月２２日にベッドの頭部角度が合計１３時間２３分の間３０度以上であったことを示しており、４）４行目３１０は、２００５年１月２1日にベッドの頭部角度が合計１１時間６分の間３０度以上であったことを示している。
【００４９】
図１６は、ベッド頭部アラームシステム３５０の第２の実施形態を図式的に示している。アラームシステム３５０の一部は、実質上アラームシステム１５０の一部と同様である。それゆえ、アラームシステム１５０の一部と実質的に類似しているアラームシステム３５０の一部を示すよう、適切な箇所に参照数字等が使用されている。図示の実施形態において、アラームシステム３５０は中間フレーム２８に対して一緒に動くよう頭部４０の裏側に装着されている。アラームシステム３５０は、例えばフレーム部材、台パネル、ないし頭部４０に沿って動くサイドレールなどの頭部４０の適切な部分に接続されてもよい。頭部４０は、図１６に図式的に示されているように、単一回転軸の周りの中間フレーム２８に対して回転する。しかしながら、システム３５０は、本開示で上記に挙げられたような回転軸の全ての種類を有する頭部に装着されてもよい。
【００５０】
アラームシステム３５０は、中間フレーム２８に対する頭部４０の角度位置を決定するよう機能する角度センサー３５２や、ベッドの頭部角度アラーム３５４、閾値角度切替装置３５６、アラーム電源ボタン３５８、各角度センサー３５２とアラーム３５４と閾値角度切替装置３５６とアラーム電源ボタン３５８とに接続した制御装置３３２を含む。バッテリ３６０は、アラームシステム３５０の様々な部品に電力を供給する。アラームシステム３５０は、いくつか例を挙げると、ねじ、ボルト、ピン、フィンガー、ラッチ、錠、ストラップ、バンド、接着剤、マグネット、つまみ、グルーブ、スロット、フランジ、ブラケット、留め金、クリップ、びょうなどの１つ以上の適切な留め具によって頭部４０に取り付けられているハウジング３６２の中に入っている。
【００５１】
アラームシステム３５０の操作は、一般的にアラームシステム１５０の操作に似ている。アラームシステム３５０は、頭部４０が、ユーザーが選択した閾値角度の下ないしそれと同じ角度になるとアラーム３５４を作動させる。閾値角度が（例えば３０度などに）固定される実施形態では、閾値角度切替装置３５６は取り除かれてもよい。そのような実施形態においては、固定されたベッド頭部の閾値角度の数値は、制御装置３３２に関連するメモリに保存される。実例となる実施形態においては、角度センサー３５２は現在のベッド頭部角度に対応する制御装置３３２に電子信号を提供する。制御装置３３２は、現在のベッドの頭部角度とユーザーの選択した閾値角度を比較し、頭部４０がユーザーの選択した閾値角度の下ないしそれと同じ角度になるとアラーム３５４を作動させる。
【００５２】
当業者は、本開示は角度センサーのいかなる特有のタイプの使用を制限するものではなく、また、ボールスイッチや電子バブルゲージ、傾斜計、加速度計、ジャイロスコープ等の頭部４０の上昇や下降を測定する多くの同等な方式は、アラームシステム３５０に使用されてもよい。代替の実施形態では、制御装置３３２及び角度切替装置３５６は取り除かれてもよい。そのような実施形態では、角度センサー３５２は、ボールスイッチのような閾値角度で開閉するスイッチでかつそのスイッチが閉じるとアラームに電圧を印加することができるアラーム３５４に直接接続しているスイッチでもよい。選択したスイッチの種類やシステム３５０の回路のデザインにより、アラーム３５４は頭部４０が固定された閾値角度より上、上ないし同等、下、下ないし同等であるときに作動する。
【００５３】
従って、台部分がフレームに対して第１及び第２の角度位置間で動くように、患者支持装置のフレームに接続した台部分の角度位置が閾値角度について、これより大きい、これより大きいか等しい、これより小さい、これより小さいか等しいときにアラームを作動させるための方法が開示されている。該方法は、台部分の角度を感知するステップと、台部分の角度と閾値角度を比較するステップ、及び台部分の角度が閾値角度について、これより大きいか、これより大きいか等しいか、これより小さいか、これより小さいか等しいときにアラームを作動させるステップとを含む。しかしながら、実例となる実施形態では、該台部分は頭部４０である。
【００５４】
特定の実例となる実施形態は上記の詳細に記載されているが、変化や修正は記載された本開示の信念や範囲内にかつ記載の請求項に定義されるように存在する。
【図面の簡単な説明】
【００５５】
【図１】キャスタに支えられたベースフレーム、ベースフレームによってもたらされる様々なメカニズムを保護する側板、ベースフレームの上部に支持された中間フレーム、中間フレームによって運ばれる折り曲げ可能台、台の上に支持されたマットレス、台の頭部の両側に接続した一対のヘッド端サイドレール、中間フレームの両側に接続した一対の中間サイドレール、及びヘッド端付近の中間フレームに接続した一対の押しハンドルを示している実例となる病院用ベッドの斜視図であって、該ベッドは、該台の頭部が閾値角度よりも上、上ないし同じ、下、下ないし同じになった時に作動されるベッドの頭部角度アラームシステムを有する。
【図２】明確にするために取り除かれたサイドレール、マットレス、押しハンドル及び側板を有する図１のベッドの側面図であって、縦方向に空間のある頭部、座部、大腿部及び脚部を有する折り曲げ可能台を示しており、該頭部及び該大腿部は該座部に対して上方に回転し、さらに該脚部は該大腿部に対して下方に回転されている。
【図３】例えば、グラフィカル介護人インターフェイス（「ＧＣＩ」）、頭部上／下制御ボタン、膝上／下制御ボタン、椅子位置調整ボタン、トレンデレンブルグ及び反トレンデレンブルグ制御ボタン、ベッド上／下制御ボタン、トレンデレンブルグ角度表示器及びナースコール制御ボタンを含む複数の制御ボタンを有する介護人制御パネルを示しているサイドレースの側立面図である。
【図４】介護人がより人間工学的に利用するためにサイドレール凹部から引き出されたＧＣＩの表示画面を示している図３のサイドレールの一部の側立面図である。
【図５】頭部の角度位置を決定するベッドの頭部角度センサー、ベッドの頭部角度アラーム、アラーム電源ボタン、閾値角度切替装置、及び該センサーや該ベッドの頭部角度アラームや該アラーム電源ボタンや該閾値角度切替装置と接続している制御装置を含む、ベッドの頭部角度アラームシステムの第１の実施形態の構成要素を示すブロック図である。
【図６】ベッドの頭部角度アラームシステムを作業状態にし、もしベッドの頭部角度が閾値角度より下になった場合に頭部角度を決定し、かつベッドの頭部角度が閾値角度より下になった時にベッドの頭部角度アラームを作動させるための制御装置内のマイクロプロセッサによって実行されるアルゴリズムを示しているフローチャートである。
【図７】ベッドの頭部角度アラームシステムを作業状態にし、もしベッドの頭部角度が閾値角度より下になった場合に頭部角度を決定し、かつベッドの頭部角度が閾値角度より下になった時にベッドの頭部角度アラームを作動させるための制御装置内のマイクロプロセッサによって実行されるアルゴリズムを示しているフローチャートである。
【図８】ＧＣＩに現れるホーム画面のスクリーンショットであり、ホーム画面は、ベッドの頭部角度システムが作動しているかいないかを示すラジオボタンを含むメニューを有している。
【図９】ベッドの頭部角度システムを作動状態にするためのユーザー入力に応じて、ＧＣＩのホーム画面に現れるポップアップボックスのスクリーンショットである。
【図１０】もし頭部角度アラームシステムを作動するための試みが行われて、該頭部角度が閾値角度より小さかった場合に、ＧＣＩのホーム画面に現れるポップアップボックスのスクリーンショットである。
【図１１】もしベッドの頭部角度アラームが作動し、頭部が閾値角度より下に下げられた場合、ＧＣＩの表示画面に現れる視覚性アラームとして役立つポップアップボックスのスクリーンショットである。
【図１２】適切なユーザー入力に応じてＧＣＩに現れるメインメニュー画面のスクリーンショットであり、該メインメニューは、統計データ情報の選択を有する。
【図１３】メインメニューの統計データ情報選択を選ぶための適切なユーザー入力に応じてＧＣＩに現れる肺統計データ画面のスクリーンショットであり、該肺統計データ画面は頭部角度サマリー選択を有している。
【図１４】肺統計データ画面の頭部角度サマリー選択を選ぶための適切なユーザー入力に応じて肺統計データ画面に現れるポップアップ統計データボックスのスクリーンショットである。
【図１５】肺統計データ画面の頭部角度サマリー選択を選ぶための適切なユーザー入力に応じて肺統計データ画面に現れるポップアップ統計データボックスのスクリーンショットである。
【図１６】中間フレームに対して角度移動するために頭部の裏面に装着されたベッドの頭部角度アラームシステムの第２の実施形態の構成要素を示すブロック図であり、該システムは、頭部の角度位置を決定するベッドの頭部角度センサーや、ベッドの頭部角度アラーム、閾値角度切替装置、アラーム電源ボタン、及び該センサーや該ベッドの頭部角度アラーム、該閾値角度切替装置かつアラーム電源ボタンに接続している制御装置を含んでいる。
【符号の説明】
【００５６】
２０  病院用ベッド、２２  床、２４  ベースフレーム、２６  キャスタ、
２８  中間フレーム、３０  折り曲げ可能台、３２  マットレス、４０  頭部、
４２  座部、４４  大腿部、４６  脚部、５０  ヘッド端、５２  フット端、
５４  左側、５６  右側、６０  ヘッドボード、６２  フットボード、
６４  押しハンドル、７０  ヘッド端サイドレール、７２  中間サイドレール、
８０  仰角調整機構、８２  保護側板、９０  介護人制御パネル、
９２  介護人制御装置、９４  グラフィカル介護人インターフェイス、
９６  頭部上／下制御ボタン、９８  膝上／下制御ボタン、
１００  椅子位置調整ボタン、
１０２  トレンデレンブルグ及び反トレンデレンブルグ制御ボタン
１０４  ベッド上／下制御ボタン、１０６  トレンデレンブルグ角度表示器、
１０８  ナースコール制御ボタン、１１０  介護人制御パネル、
１１２  介護人制御装置、１１３  ベッド頭部角度表示器、
１１４  患者制御パネル、１１６  患者制御装置、１１８  スイングアウト表示画面、
１２０  制御ボタン、１３０  頭部アクチュエータ、１３２  制御装置、
１５０  ベッドの頭部角度アラームシステム、１５２  ベッドの頭部角度センサー、
１５４  ベッドの頭部角度アラーム、１５６  閾値角度切替装置、
１５８  アラーム電源ボタン、１７０  リンク、１７２  シャフト、
２００  ホーム画面、２０２  メインメニュー画面、２１２  統計データ、
２５６  消音ボタン、２６４  ベッド頭部角度アラーム解除ボタン、
２８０  ベッド頭部角度統計データ、２９０  メインメニューボタン、
２９２  統計データボタン、２９４  頭部角度サマリーボタン、
３３２  制御装置、３５０  アラームシステム、３５２  角度センサー、
３５４  ベッド頭部角度アラーム、３５６  閾値角度切替装置、
３５８  アラーム電源ボタン、３６０  バッテリ、３６２  ハウジング
【図１】
0005154068.tif 000002
【図２】
0005154068.tif 000003
【図３】
0005154068.tif 000004
【図４】
0005154068.tif 000005
【図５】
0005154068.tif 000006
【図６】
0005154068.tif 000007
【図７】
0005154068.tif 000008
【図８】
0005154068.tif 000009
【図９】
0005154068.tif 000010
【図１０】
0005154068.tif 000011
【図１１】
0005154068.tif 000012
【図１２】
0005154068.tif 000013
【図１３】
0005154068.tif 000014
【図１４】
0005154068.tif 000015
【図１５】
0005154068.tif 000016
【図１６】
0005154068.tif 000017